(57)【要約】【課題】ユーザと過去に通信を行ったことのある特定の人物とユーザとの関係を、視覚的に分かりやすく表示する。【解決手段】通信を行う送受信処理部と、通信の履歴情報を記憶する記憶部とを備えた。そして、記憶部に記憶された履歴情報に基づいて、通信を行った相手と当該通信端末装置１００のユーザとの間で行われた通信における送信と受信の比率を算出し、算出した比率に基づいてグラフＢｒを生成し、そのグラフＢｒを表示部２２０に表示するようにした。【選択図】図１
2010016712.tif 000002
【特許請求の範囲】
【請求項１】
無線通信を行う送受信処理部と、
前記通信の履歴情報を記憶する履歴記憶部と、
前記履歴記憶部に記憶された履歴情報に基づいて、前記通信を行った相手との通信における発信と着信の比率を算出し、前記算出した比率に基づいてグラフを生成する制御部と、
前記制御部で算出されたグラフ表示する表示部とを備えた
通信端末装置。
【請求項２】
前記表示部でのグラフ表示は、前記発信と着信の比率を示すバー表示である
請求項１記載の通信端末装置。
【請求項３】
前記送受信処理部で着信があった場合に、その着信した通信の相手との発信と着信の比率を示すバー表示を前記表示部で行う
請求項２記載の通信端末装置。
【請求項４】
前記表示部に、前記着信した相手に関する情報と共に前記バー表示を行う
請求項３記載の通信端末装置。
【請求項５】
前記着信時のバー表示は、前記表示部とは異なる第２の表示部で行う
請求項３記載の通信端末装置。
【請求項６】
前記制御部は、前記通信を行った相手との通信の情報量を、所定時間又は所定日ごとの通信量で示す第２のグラフを生成し、前記表示部に表示する
請求項２記載の通信端末装置。
【請求項７】
前記第２のグラフは折れ線グラフである
請求項６記載の通信端末装置。
【請求項８】
前記制御部は、前記記憶部に記憶された履歴情報に基づいて前記通信の頻度を算出し、前記算出した頻度に基づいて定まる順番に従って前記履歴情報を表示させる
請求項７記載の通信端末装置。
【請求項９】
前記通信を行う相手の情報を記載した電話帳情報記憶部を備え、
前記制御部は、前記履歴記憶部に記憶された履歴情報に基づいて前記相手との通信の頻度を算出し、前記算出した頻度に基づいて、前記電話帳情報記憶部に記憶された電話帳の検索結果の表示順序を変更する
請求項８記載の通信端末装置。
【請求項１０】
通信を行うステップと、
前記通信の履歴情報を記憶するステップと、
前記記憶された履歴情報に基づいて、前記通信を行った相手と通信における発信と着信の比率を算出し、前記算出した比率に基づいてグラフを生成するステップと、
前記算出されたグラフ表示するステップとを有する
表示方法。
【発明の詳細な説明】
【技術分野】
【０００１】
本発明は、例えば携帯電話端末に適用して好適な通信端末装置及び表示方法に関する。
【背景技術】
【０００２】
従来、携帯電話端末等の通信端末装置では、通話や電子メール（以下、単にメールとも称する）などを通して他人と行った連絡は、履歴として端末内に記録される。そして、その履歴は、必要に応じてユーザが閲覧できるようにしてある。
【０００３】
しかし、この場合の履歴の表示は、記録された情報を単に時系列に表示させたものであることが多い。このような形態で履歴情報を表示させたとしても、そこには通信端末装置のユーザと履歴として表示された人物との関係は表現されない。このため、例えば特許文献１には、メールの送受信や電話の着信／発信の時刻情報に基づいて、通信端末装置のユーザと、端末を通して過去にユーザと何かしらのやりとりを行った各人物との関係を示す情報を生成する技術が記載されている。
【特許文献１】特開２００３−１８８９７９号公報
【発明の開示】
【発明が解決しようとする課題】
【０００４】
特許文献１に示される手法によれば、端末を通して過去にユーザと何かしらのやりとりを行った各人物との関係を示す情報が生成され、その情報が検索等のユーザインタフェースに反映されるようになる。
【０００５】
ところが、この手法では、各人物とユーザとの関係を視覚的に分かりやすく把握することはできなかった。
【０００６】
本発明はかかる点に鑑みてなされたものであり、通信端末での過去の通信履歴を、視覚的に分かりやすく表示することを目的とする。
【課題を解決するための手段】
【０００７】
本発明の通信端末は、無線通信を行う送受信処理部と、通信の履歴情報を記憶する履歴記憶部とを備えた。そして、履歴記憶部に記憶された履歴情報に基づいて、通信を行った相手と当該通信端末装置のユーザとの間で行われた通信における発信と着信の比率を算出し、算出した比率に基づいてグラフを生成し、そのグラフを表示部に表示するようにしたものである。
【０００８】
このようにしたことで、通信を行った相手とユーザとの間で行われた送信と受信との比率が、グラフで表示されるようになる。
【発明の効果】
【０００９】
本発明によると、通信を行った相手とユーザとの間で行われた送信と受信との比率がグラフで表示されるため、ユーザと過去に通信を行ったことのある特定の人物とユーザとの関係が視覚的に分かりやすく表現されるようになる。
【発明を実施するための最良の形態】
【００１０】
以下、本発明の一実施の形態を、添付図面を参照して説明する。
【００１１】
［携帯電話端末の構成例］
図１は本発明の通信端末装置の一例としての携帯電話端末１００の外観を示している。携帯電話端末１００は、筐体内に収納された表示部２２０と、操作部２２３とを備える。表示部２２０は、ユーザに対して各種の視覚的な情報を提供するためのユーザインタフェースであり、例えば液晶ディスプレイや有機ＥＬ（Electro Luminescence）ディスプレイ等の表示デバイスを含む。
【００１２】
操作部２２３は、ユーザが指示や情報を入力するためのユーザインタフェースであり、例えば、上下左右の方向を指示するカーソル移動キー２２３ａ、選択キー２２３ｂ、各種操作内容が逐次割り当てられるソフトキー２２３ｃ〜２２３ｆを含む。また、電源キー２２３ｇ、通話キー２２３ｈ、文字、数字、記号等を入力するためのキー（テンキー）２２３ｉ、等の各種のキー（押しボタン）も含む。
【００１３】
本実施の形態による携帯電話端末１００は、図１に示されるように、例えば着信中等のタイミングで、表示部２２０上に着信元（Ａさん）と携帯電話端末１００のユーザとの間での発信回数（「送」）と着信回数（「受」）の比率を比率表示バーＢｒとして表示するものである。また、ある特定のユーザ（例えば着信元等）との通話時間やメールの件数等を時間軸にプロットして、その時間方向での推移をグラフとして表示することも行う。比率表示バーＢｒの詳細及びグラフの詳細については後述する。
【００１４】
［携帯電話端末の内部構成例］
次に、図２を参照して、図１に示した携帯電話端末１００の内部構成例について説明する。携帯電話端末１００は、携帯電話に特有の要素として、アンテナ２０１、送受信処理部２０３、変復調処理部２０５、データ処理部２０７、デジタル・アナログ（Ｄ／Ａ）変換器２０９、スピーカ２１０、アナログ・デジタル（Ａ／Ｄ）変換器２１１およびマイクロフォン２１２を備える。携帯電話端末１００は、また、これらの各要素を制御するＣＰＵ，ＲＯＭ等を含む制御部２２５、この制御部２２５により作業領域やデータの一時記憶領域として利用される記憶部としてのメモリ２２７と、表示部２２０、操作部２２３、ＲＴＣ（Real Time Clock）２２９を備える。
【００１５】
送受信処理部２０３は、アンテナ２０１を通して所定の基地局との間で無線の通信を行い、基地局との間で双方向のデータ伝送を行う。変復調処理部２０５は、アンテナ２０１が受信した無線を復調したり、アンテナ２０１を通して送信するデータを変調したりする処理を行う。データ処理部２０７は、変復調処理部２０５で復調処理された信号に対して所定の信号処理を施す。Ｄ／Ａ変換器２０９は、データ処理部２０７で信号処理された音声信号をアナログの音声信号に変換してスピーカ２１０から放音させる。Ａ／Ｄ変換器２１１は、マイクロフォン２１２が拾って得た音声信号をデジタルの音声信号に変調してデータ処理部２０５に出力する。
【００１６】
スピーカ２１０は通話用と着信音用に複数あってよい。制御部２２５のＲＯＭ内には、読出し専用メモリや、電気的に情報が書込みおよび消去可能な読出し専用メモリ（ＥＥＰＲＯＭ）が使用される。そして、通常の携帯電話端末１００の操作入力受付、通信、電子メール処理、ウェブ処理、表示、音声入出力、電話帳管理、スケジュール管理、等の各種動作のための制御プログラムおよび固定的なデータが格納されている。また制御部２２５は、着信元の電話番号等に基づいて、着信元のユーザと携帯電話端末１００のユーザ間での電話の着信と発信の比率を計算して比率表示バーＢｒを生成したり、前述したグラフを生成する処理も行う。メモリ２２７内には、電話帳３００、通信履歴情報３１０等の各種のデータが格納される。ＲＴＣ（Real Time Clock）２２９は、日時の管理やタイマー機能を提供するブロックである。
【００１７】
図３は、携帯電話端末１００のメモリ２２７に格納される電話帳３００の構成を模式的にテーブル形式で示したものである。電話帳３００には、ユーザによる指示操作により、相手の「名前」「よみ」「性別」「ＴＥＬＮｏ．（電話番号）」「メールアドレス」等の個人情報が登録される。さらに、住所、誕生日、趣味、星座等の個人情報も登録可能である。各登録者のレコードには登録順に通し番号が付与されて管理される。「名前」「よみ」「ＴＥＬＮｏ．」「メールアドレス」については電話帳３００へ通信相手を登録する際に記憶される。
【００１８】
本実施の形態の電話帳３００には、携帯電話端末１００のユーザ自身の情報も登録される。なお、本例ではユーザ自身の情報も電話帳３００に登録される例を挙げるが、これに限定されるものではなく、例えば、ユーザ自身の情報は電話帳３００とは別の記録エリアに記憶されてもよい。
【００１９】
次に、図４及び図５を参照して、通信履歴情報３１０に記録された各種情報の構成例について説明する。まず図４から説明すると、図４Ａは通信履歴情報３１０としてのメール受信履歴情報３１０ｒを模式的にテーブル形式で示したものであり、図４Ｂは、メール送信履歴情報３１０ｘとを模式的にテーブル形式で示したものである。図４Ａに示すメール受信履歴情報３１０ｒは、個々の受信メールについて、その受信「日時」「送信者（表示名）」「件名」「本文」「添付データ」を含み、各レコードは受信した順に通し番号を付して管理される。「送信者」はそのメールの相手が電話帳３００に登録されていればその登録名、登録されていなければそのメールに含まれる相手の表示名またはメールアドレスである。
【００２０】
図４Ｂに示すメール送信履歴情報３１０ｘは、個々の送信メールについて、その送信「日時」「受信者」「件名」「本文」「添付データ」を含み、これらの項目からなる各レコードは送信した順に通し番号を付して管理される。「受信者」は、そのメールの受信者が電話帳３００に登録されていればその登録者の登録名、登録されていなければメールアドレスである。
【００２１】
図５Ａは、通信履歴情報３１０としての電話着信履歴情報３１１ｒを模式的にテーブル形式で示したものであり、図５Ｂは電話発信履歴情報３１１ｘを模式的にテーブル形式で示したものである。電話着信履歴情報３１１ｒは、個々の電話受信について、その受信「日時」「発信者」「通話時間」を含み、各レコードは受信した順に通し番号を付して管理される。「発信者」は、その電話を掛けてきた相手が電話帳３００に登録されていればその登録者の登録名、登録されていなければ相手の電話番号である。
【００２２】
電話発信履歴情報３１１ｘは、個々の電話発信について、その発信「日時」「相手」「通話時間」を含み、各レコードは発信した順に通し番号を付して管理される。「相手」は、その電話の相手が電話帳３００に登録されていればその登録者の登録名、登録されていなければ相手の電話番号である。
【００２３】
［携帯電話端末の動作の例］
次に、図６のフローチャートを参照して、比率表示バーＢｒ作成時の携帯電話端末１００の動作について説明する。携帯電話端末１００は、あるユーザから発呼された呼を着信すると（ステップＳ１）、着信元のユーザからの電話着信履歴情報３１１ｒと、発信元のユーザへの電話発信履歴情報３１１ｘとが、制御部２２５によってメモリ２２７から読み出される（ステップＳ２）。続いて制御部２２５によって、電話着信履歴情報３１１ｒ及び電話発信履歴情報３１１ｘに基づいて着信と発信との割合が算出され（ステップＳ３）、算出された割合が比率表示バーＢｒとして表示部２２０に表示される（ステップＳ４）。
【００２４】
この場合の画面表示の例は図１に示したとおりであり、電話番号が「090-1234-5678」の「Ａさん」というユーザからの呼を着信したタイミングで、Ａさんに対する発信回数とＡさんからの着信回数との割合が、比率表示バーＢｒとして表示されるようになる。比率表示バーＢｒにおいては、左側に、発信回数の割合が「送」として色なしで示され、右側に、着信回数の割合が「受」として色付きで表示される。図１に示した比率表示バーＢｒによれば、Ａさんから電話をかけてきた回数に比べて、Ａさんに対して電話をかけた回数の方が少し多いことが分かる。
【００２５】
これまでに着信したことのない相手からの呼を着信した場合には、その相手からの着信の履歴もないことになるため、比率表示バーＢｒは図７に示されるように全面色付きで表示される。なお、本実施の形態では、発信回数の割合を色なしで表示し、着信回数の割合を色付きで表示する例を挙げているが、これに限定されるものではなく、送受信の割合をそれぞれ別の色や模様で表示するようにしてもよい。
【００２６】
また、本実施の形態における携帯電話端末１００は、ある特定のユーザとの間での電話やメールのやりとりの情報をグラフ（第２のグラフ）として表示する機能も備えている。図８に、グラフの表示例を示してある。図８に示した表示部２２０の上段にはグラフＧｆが、下段には比率表示バーＢｒが表示されている。グラフＧｆの横軸は時間軸を示し、縦軸は情報量を示す。図８に示した例では、メールに関する情報量はメールの受信件数としてあり、電話に関する情報量は通話時間としてある。なお、情報量の種類はこれに限定されるものではなく、例えばメールであれば受信した本文の文字数等を、また、電話であれば着信した回数等を情報量として扱うようにしてもよい。
【００２７】
図８のグラフＧｆには、「Ａさん」からメールを受信した回数（受信件数）と、電話をした時間（通話時間）とが折れ線グラフで示されている。時間軸の長さは、１週間や１ヶ月等、ユーザが任意の期間に設定できるものとする。そしてこのグラフＧｆの下に、「Ａさん」との間で行われた通信における送受信の割合が、比率表示バーＢｒとして示されている。グラフＧｆによって、特定のユーザである「Ａさん」からのメールの受信件数と通話時間の時間方向における推移を、視覚的に把握することができる。また、比率表示バーＢｒによって、「Ａさん」と自分（携帯電話端末１００のユーザ）との間で行われた通信における送受信の割合を視覚的に把握することができる。
【００２８】
図９に、グラフＧｆ作成時の携帯電話端末１００の動作の例をフローチャートで示してある。携帯電話端末１００では、比率表示バーＢｒやグラフＧｆで関係を示したい対象の人物の選択を受け付けると（ステップＳ１１）、選択された人物の電話着信履歴情報３１１ｒと、その人物への電話発信履歴情報３１１ｘと、メール受信履歴情報３１０ｒとが、制御部２２５によって読み出される（ステップＳ１２）。
【００２９】
次に、読み出した電話着信履歴情報３１１ｒと電話発信履歴情報３１１ｘとに基づいて着信と発信の割合が算出され（ステップＳ１３）、算出された割合が比率表示バーＢｒとして表示される（ステップＳ１４）。さらに、読み出した電話着信履歴情報３１１ｒ及びメール受信履歴情報３１０ｒを折れ線グラフ化することによりグラフＧｆが作成される（ステップＳ１５）。なお、ここでは電話着信履歴情報３１１ｒと電話発信履歴情報３１１ｘに基づいて比率表示バーＢｒを作成する例を挙げたが、これに限定されるものではない。例えば、メール受信履歴情報３１０ｒとメール送信履歴情報３１０ｘを用いて送受信の割合を算出してもよく、メールの送受信情報と電話の着信／発信履歴情報の両方の情報に基づいて、送受信の割合を算出するようにしてもよい。
【００３０】
図９のステップＳ１１における特定の人物の選択は、例えば着信履歴の画面や電話帳３００の画面から行えるようにしてある。図１０に、着信履歴の表示画面の例を示してある。図１０の着信履歴には、「Ａさん2008/06/03 22:34、Ａさん2008/05/29 19:29」のように、着信元の人物の名前と着信の日時（年月日と時間）とが、画面の上から下に時系列に表示されている。この画面において「Ａさん」にカーソル（図示略）を合わせて「選択」のソフトキーＳｋ１を押下することで、「Ａさん」が選択される。そして、「選択」のソフトキーＳｋ１押下後に表示されるメニュー画面（図示略）から、比率表示バーＢｒやグラフＧｆを表示させるメニューを選択することで、「Ａさん」との間で行われた送受信に関する情報が比率表示バーＢｒやグラフＧｆとして表示される。
【００３１】
図１１には電話帳３００の表示例を示してある。図１１には、電話帳３００で「Ａさん」の登録情報を表示させた例が示してあり、「Ａさん」の情報として、登録番号（Ｎｏ．）と名前（Ｎａｍｅ．）と電話番号（Ｔｅｌ．）とメールアドレス（ｍａｉｌ．）とが記載されている。このような状態で「機能」のソフトキーＳｋ２等を押下することによっても、「Ａさん」との間で行われた送受信に関する情報を、比率表示バーＢｒやグラフＧｆとして表示させることができる。
【００３２】
なお、比率表示バーＢｒやグラフＧｆで関係を表示したい対象の選択方法は上述した方法に限定されるものではない。例えば、携帯電話端末１００にインストールされている特定のアプリケーションと、比率表示バーＢｒやグラフＧｆの表示機能とを結びつけておくことにより、そのアプリケーション上で、比率表示バーＢｒやグラフＧｆとして関係を表示したい人物を特定できるようにしてもよい。
【００３３】
［本実施の形態の効果］
上述した実施の形態によれば、携帯電話端末１００のユーザと、ある特定の人物との間で行われたやりとりの情報が、比率表示バーＢｒやグラフＧｆとしてグラフィカルに表示されるようになる。これにより、相手との関係において送信と受信のどちらが多いのかを視覚的に把握することができるようになる。
【００３４】
例えば、比率表示バーＢｒに表示されている情報において、相手からいつも連絡をもらってばかりいることが示されている場合には、ユーザに、その相手に自分から連絡をとってみようか？と思わせることができるようになる。
【００３５】
また、電話の着信時表示される比率表示バーＢｒにおいて、その相手からの着信の履歴がまったくないことが分かった場合には、セールスの電話等であると判断して電話に出ない、といった対応をユーザにとらせることも可能となる。
【００３６】
また、グラフＧｆに表示されている情報において、相手に対してメールばかりを行っていることが示されている場合には、ユーザは、その相手に電話をかけてみようか？というような気分にさせることができる。
【００３７】
また、グラフＧｆに表示されている情報において、昔はよく連絡を取り合っていたのに、最近はあまり取らなくなっていることが示されている場合には、また連絡をとってみようかと思わせることができる。
【００３８】
すなわち、携帯電話端末１００のユーザに対して、新たなコミュニケーションの機会や、これまでとは異なるコミュニケーションの手段を提示できるようになる。
【００３９】
［本実施の形態の他の実施例］
なお、上述した実施の形態では、携帯電話端末１００の表示部２２０上に、比率表示バーＢｒを表示させる例を挙げたが、これに限定されるものではない。例えば、図１２に示すような、サブディスプレイ２２０ａを有する携帯電話端末１００においては、サブディスプレイ２２０ａの画面上に比率表示バーＢｒを表示させるようにしてもよい。
【００４０】
また、上述した実施の形態では、ユーザにより選択された特定の人物との送受信の割合を比率表示バーＢｒとしてバー表示しているが、送受信の偏りを表現できる手段であれば、他の手段を用いるようにしてもよい。例えば送受信の割合を例えば天秤で表現したり、円グラフ等で表現するようにしてもよい。
【００４１】
また、上述した実施の形態では、ユーザにより選択された１人の人物に関する情報のみを比率表示バーＢｒ又はグラフＧｆとして表示するようにしているが、これに限定されるものではない。例えば、メール受信履歴情報３１０ｒやメール送信履歴情報３１０ｘ、電話着信履歴情報３１１ｒ、電話発信履歴情報３１１ｘに基づいて、よく連絡する人物の例えば上位２０位までを、図１３に示したように表示させるようにしてもよい。図１３に示した表示部２２０には、ユーザがよく連絡をとる相手の上位数名が表示されている。このように、複数人の相手に関する情報をリスト形式で表示するようにしてもよい。
【００４２】
さらに、メール受信履歴情報３１０ｒやメール送信履歴情報３１０ｘ、電話着信履歴情報３１１ｒ、電話発信履歴情報３１１ｘに基づいて送受信の比率を算出し、送信が多い人や受信が多い人順に、履歴の表示順を並べ替えることができるようにしてもよい。もしくは、電話帳３００での検索結果を、送信が多い人や受信が多い人順に並べ替えられるようにしてもよい。
【００４３】
またこの場合、図１３に示した画面上等で複数の特定の人物を選択することにより、選択された複数の人物からのメールの受信記録や電話の着信履歴を、グラフＧｆとして表示させるようにしてもよい。
【００４４】
また、上述した実施の形態では、通信端末装置の一例として携帯電話端末１００を上げたが、これに限定されるものではない。例えば、メールや電話など特定の相手との通信を行える手段を有している装置であれば、ＰＤＡ（Personal Digital Assistants）やゲーム端末、パーソナルコンピュータ等の他の装置に適用するようにしてもよい。
【図面の簡単な説明】
【００４５】
【図１】本発明の一実施の形態による携帯電話端末の外観の例を示す外観図である。
【図２】本発明の一実施の形態による携帯電話端末の内部構成例を示すブロック図である。
【図３】本発明の一実施の形態による電話帳の構成例を示す説明図である。
【図４】本発明の一実施の形態によるメールの送受信の履歴を示す説明図であり、Ａはメール受信履歴情報の構成例を示し、Ｂはメール送信履歴情報の構成例を示す。
【図５】本発明の一実施の形態による電話の着信／発信の履歴を示す説明図であり、Ａは電話着信履歴情報の構成例を示し、Ｂは電話発信履歴情報の構成例を示す。
【図６】本発明の一実施の形態による比率表示バー生成時の処理の例を示すフローチャートである。
【図７】本発明の一実施の形態による着信履歴がない相手から着信があった場合の比率表示バーの表示例示す説明図である。
【図８】本発明の一実施の形態によるグラフと比率表示バーとの表示例を示す説明図である。
【図９】本発明の一実施の形態によるグラフ表示時の処理の例を示すフローチャートである。
【図１０】本発明の一実施の形態による着信履歴の表示例を示す説明図である。
【図１１】本発明の一実施の形態による電話帳の表示例を示す説明図である。
【図１２】本発明の一実施の形態の他の例による比率表示バーをサブディスプレイに表示した場合の例を示す説明図である。
【図１３】本発明の一実施の形態の他の例による着信履歴の表示例を示す説明図である。
【符号の説明】
【００４６】
１００…携帯電話端末、２０１…アンテナ、２０３…送受信処理部、２０５…変復調処理部、２０７…データ処理部、２０９…デジタル・アナログ変換器、２１０…スピーカ、２１１…アナログ・デジタル変換器、２１２…マイクロフォン、２２０…表示部、２２０ａ  サブディスプレイ、２２３…操作部、２２３ａ…カーソル移動キー、２２３ｂ…選択キー、  ２２３ｃ…ソフトキー、２２３ｇ…電源キー、２２３ｈ…通話キー、２２３ｉ…キー、２２５…制御部、２２７…メモリ、２２９…ＲＴＣ、３００…電話帳、３１０…通信履歴情報、３１０ｒ…メール受信履歴情報、３１０ｘ…メール送信履歴情報、３１１ｒ…電話着信履歴情報、３１１ｘ…電話発信履歴情報、Ｂｒ…比率表示バー、Ｇｆ…グラフ
【図１】
2010016712.tif 000003
【図２】
2010016712.tif 000004
【図３】
2010016712.tif 000005
【図４】
2010016712.tif 000006
【図５】
2010016712.tif 000007
【図６】
2010016712.tif 000008
【図７】
2010016712.tif 000009
【図８】
2010016712.tif 000010
【図９】
2010016712.tif 000011
【図１０】
2010016712.tif 000012
【図１１】
2010016712.tif 000013
【図１２】
2010016712.tif 000014
【図１３】
2010016712.tif 000015